(57)【特許請求の範囲】
【請求項１】
柱と床構造体と天井構造体とを箱形に接合した建物ユニットを用い、複数の下階建物ユニットを隣接配置し、それら下階建物ユニットの上部に複数の上階建物ユニットを隣接配置してなるユニット建物の制振構造において、
金属製基材に粘弾性材を接着した制振体を用い、
隣接する上階建物ユニットの床構造体間で、一方の床構造体を構成している床大梁と他方の床構造体を構成している床大梁の間隙に上記制振体を挿入し、
該制振体の基材をそれらの両床大梁に取付固定してなることを特徴とするユニット建物の制振構造。
【請求項２】
柱と床構造体と天井構造体とを箱形に接合した建物ユニットを用い、複数の下階建物ユニットを隣接配置し、それら下階建物ユニットの上部に複数の上階建物ユニットを隣接配置してなるユニット建物の制振構造において、
金属製基材に粘弾性材を接着した制振体を用い、
隣接する下階建物ユニットの天井構造体間で、一方の天井構造体を構成している天井大梁と他方の天井構造体を構成している天井大梁の間隙に上記制振体を挿入し、
該制振体の基材をそれらの両天井大梁に取付固定してなることを特徴とするユニット建物の制振構造。
【請求項３】
柱と床構造体と天井構造体とを箱形に接合した建物ユニットを用い、複数の下階建物ユニットを隣接配置し、それら下階建物ユニットの上部に複数の上階建物ユニットを隣接配置してなるユニット建物の制振構造において、
金属製基材に粘弾性材を接着した制振体を用い、
隣接する上階建物ユニットの床構造体間で、一方の床構造体を構成している床大梁と他方の床構造体を構成している床大梁の間隙に上記制振体を挿入し、
該制振体の基材をそれらの両床大梁に取付固定してなるとともに、
隣接する下階建物ユニットの天井構造体間で、一方の天井構造体を構成している天井大梁と他方の天井構造体を構成している天井大梁の間隙に上記制振体を挿入し、
該制振体の基材をそれらの両天井大梁に取付固定してなることを特徴とするユニット建物の制振構造。
【発明の詳細な説明】
【０００１】
【発明が属する技術分野】
本発明はユニット建物の制振構造に関する。
【０００２】
【従来の技術】
従来、ユニット建物として、柱と床構造体と天井構造体とを箱形に接合した建物ユニットを用い、複数の下階建物ユニットを隣接配置し、それら下階建物ユニットの上部に複数の上階建物ユニットを隣接配置してなるものがある。
【０００３】
上述のユニット建物では、例えば上階室に居住する子供が飛び跳ねたり走り回ったりするときに、その床の振動に起因する衝撃音（以下、重量床衝撃音）が下階室に伝わり、居住性を損なうことがある。
【０００４】
そこで従来、この重量床衝撃音を低減すべく、特開昭62-72859号公報に記載の如く、床構造体の相対する床大梁間に架け渡されている床小梁の側面に受け材を設け、相隣る床小梁の受け材上に吸振板を取付けて、床小梁の制振を行うものが提案されている。
【０００５】
【発明が解決しようとする課題】
然るに、重量床衝撃音は主として床全体の振動に起因し、その低減のためには上階床構造体と下階天井構造体（このとき上階床構造体と下階天井構造体とは接合一体化されている）の全体の剛性、制振等を考慮する必要がある。
【０００６】
ところが従来技術では、床構造体のうちの床小梁の制振はできでも、上階床構造体と下階天井構造体の剛性、上階床構造体と下階天井構造体の外枠を構成している床大梁と天井大梁の制振を行うことができず、未だ十分な床衝撃音の低減ができない。
【０００７】
本発明は、ユニット建物において、重量床衝撃音を低減することを目的とする。
【０００８】
【課題を解決するための手段】
請求項１に記載の本発明は、柱と床構造体と天井構造体とを箱形に接合した建物ユニットを用い、複数の下階建物ユニットを隣接配置し、それら下階建物ユニットの上部に複数の上階建物ユニットを隣接配置してなるユニット建物の制振構造において、金属製基材に粘弾性材を接着した制振体を用い、隣接する上階建物ユニットの床構造体間で、一方の床構造体を構成している床大梁と他方の床構造体を構成している床大梁の間隙に上記制振体を挿入し、該制振体の基材をそれらの両床大梁に取付固定してなるようにしたものである。
【０００９】
請求項２に記載の本発明は、柱と床構造体と天井構造体とを箱形に接合した建物ユニットを用い、複数の下階建物ユニットを隣接配置し、それら下階建物ユニットの上部に複数の上階建物ユニットを隣接配置してなるユニット建物の制振構造において、金属製基材に粘弾性材を接着した制振体を用い、隣接する下階建物ユニットの天井構造体間で、一方の天井構造体を構成している天井大梁と他方の天井構造体を構成している天井大梁の間隙に上記制振体を挿入し、該制振体の基材をそれらの両天井大梁に取付固定してなるようにしたものである。
【００１０】
請求項３に記載の本発明は、柱と床構造体と天井構造体とを箱形に接合した建物ユニットを用い、複数の下階建物ユニットを隣接配置し、それら下階建物ユニットの上部に複数の上階建物ユニットを隣接配置してなるユニット建物の制振構造において、金属製基材に粘弾性材を接着した制振体を用い、隣接する上階建物ユニットの床構造体間で、一方の床構造体を構成している床大梁と他方の床構造体を構成している床大梁の間隙に上記制振体を挿入し、該制振体の基材をそれらの両床大梁に取付固定してなるとともに、隣接する下階建物ユニットの天井構造体間で、一方の天井構造体を構成している天井大梁と他方の天井構造体を構成している天井大梁の間隙に上記制振体を挿入し、該制振体の基材をそれらの両天井大梁に取付固定してなるものである。
【００１１】
請求項１に記載の本発明によれば下記▲１▼〜▲３▼の作用効果がある。
▲１▼上階床大梁に制振体が固定されているから、子供が上階床上で飛び跳ねる等の床衝撃に起因する床振動が上階床大梁に伝搬されたとき、上階床大梁と一体化されている制振体の粘弾性材が粘弾性変形し、その変形に費やされるエネルギ損失により上階床大梁の振動を制振せしめる。
【００１２】
▲２▼相隣る上階建物ユニットの床構造体が制振体の金属製基材により剛接合され、上階床構造体の全体の剛性が上がり、床衝撃に対する床変形量が小さくなり、上階床振動を低減せしめる。
【００１３】
▲３▼上記▲１▼、▲２▼により、床全体の振動を低減し、重量床衝撃音を低減することができ、結果として居住性を向上できる。
【００１４】
請求項２に記載の本発明によれば下記▲４▼〜▲６▼の作用効果がある。
▲４▼下階天井大梁に制振体が固定されているから、子供が上階床上で飛び跳ねる等の床衝撃に起因する床振動が上階床大梁を介して下階天井大梁に伝搬されたとき、下階天井大梁と一体化されている制振体の粘弾性材が粘弾性変形し、その変形に費やされるエネルギ損失により下階天井大梁の振動を制振せしめる。そして、この下階天井大梁には上階床大梁が接合一体化されているため、結果として上階床大梁の振動を制振せしめることができるものとなる。
【００１５】
▲５▼相隣る下階建物ユニットの天井構造体が制振体の金属製基材により剛接合され、下階天井構造体の全体の剛性が上がり、床衝撃に対する天井変形量が小さくなり、上階床振動起因の下階天井振動を低減せしめる。そして、この下階天井構造体には上階床構造体が接合一体化されているため、結果として上階床振動を低減せしめることができるものとなる。
【００１６】
▲６▼上記▲４▼、▲５▼により、床全体の振動を低減し、重量床衝撃音を低減することができ、結果として居住性を向上できる。
【００１７】
請求項３に記載の本発明によれば前記▲１▼〜▲６▼の作用効果がある。
【００１８】
【発明の実施の形態】
図１は第１実施例を示す模式図、図２は相隣る床構造体を示す模式図、図３は制振体の設置構造を示す模式図、図４は制振体の変形例を示す模式図、図５はユニット建物を示す模式図、図６は建物ユニットを示す模式図、図７は第２実施例を示す模式図である。
【００１９】
（第１実施例）（図１〜図６）
図５に示すユニット建物１０は、基礎１１の上部に複数の下階建物ユニット１２を隣接配置し、それら下階建物ユニット１２の上部に複数の上階建物ユニット１３を隣接配置し、更にそれら上階建物ユニット１３の上部に複数の屋根ユニット１４を搭載している。
【００２０】
ここで、建物ユニット１２、１３は、図６に示す如くの軸組式からなり、４本の角鋼管製柱１５を４隅に配置し、各柱１５の下端部に設けた溝形状鋼板製連結片１６に床構造体１７の４隅を接合するとともに、各柱１５の上端部に設けた溝形状鋼板製連結片１８に天井構造体１９の４隅を接合することにて、箱形をなす如くに構成されている。
【００２１】
床構造体１７は、４本の溝形鋼製大梁２０を上記連結片１６の内側に重ね合わせる如くに嵌合、溶接して外枠を形成している。また、床構造体１７は、複数の相互に並列配置される床小梁２１のそれぞれを相対する床大梁２０、２０間に架け渡し、各床小梁２１の両端部に設けた溝形状鋼板製連結片２２を上記対応する床大梁２０のそれぞれに溶接している。このとき、連結片２２の上フランジ２２Ａは床大梁２０の上フランジ２０Ａの上に溶接され、連結片２２の下フランジ２２Ｂは床大梁２０の下フランジ２０Ｂの上に溶接される（図１、図２参照）。更に、床構造体１７は、複数の相互に並列配置される木製床根太２３のそれぞれを各床小梁２１に直交配置し、各床根太２３をそれら床小梁２１の上部に接着剤又は釘打ちにて固定し、各床根太２３の上部に床板２４を接着剤又は釘打ちにて固定している（図１参照）。
【００２２】
天井構造体１９は、４本の溝形鋼製天井大梁２５を上記連結片１８の内側に重ね合わせる如くに嵌合、溶接して外枠を形成している。また、天井構造体１９は、複数の相互に並列配置される木製天井根太２６のそれぞれを、天井大梁２５の下フランジ２５Ｂの上に接着剤又は釘打ちにて固定している。更に、天井構造体１９は、各天井根太２６の下部に天井板２７を接着剤又は釘打ちにて固定している（図１参照）。
【００２３】
尚、図１において、２８は左右にて隣り合う建物ユニット１２（又は１３）の床構造体１７を相互に連結する連結板であり、連結板２８は各床構造体１７を構成する床大梁２０の連結片１６に近接する基部、及び該床大梁２０の中間部にボルト結合される。また、２９は左右にて隣り合う建物ユニット１２（又は１３）の天井構造体１９を相互に連結する連結片であり、連結片２９は各天井構造体１９を構成する天井大梁２５の連結片１８に近接する基部、及び該天井大梁の中間部に天井根太２６の端部とともにボルト結合される。また、３０は下階建物ユニット１２の天井大梁２５と上階建物ユニット１３の床大梁２０との間の間隙（連結片１６、１８の各肉厚の和に相当する間隙）に介装されるスペーサであり、スペーサ３０は床大梁２０の下フランジ２０Ｂ、天井大梁２５の上フランジ２５Ａ、及び連結片２２の下フランジ２２Ｂの３者とともにボルト結合される。
【００２４】
以上により、図１において、左右の上階建物ユニット１３の床構造体１７の床大梁２０同士は連結板２８を介して接合一体化され、左右の下階建物ユニット１２の天井構造体１９の天井大梁２５同士は連結片２９を介して接合一体化され、下階建物ユニット１２の天井構造体１９の天井大梁２５と上階建物ユニット１３の床構造体１７の床大梁２０とはスペーサ３０を介して接合一体化され、ひいては下階建物ユニット１２の天井構造体１９と上階建物ユニット１３の床構造体１７とが結合一体されたものとなる。
【００２５】
しかして、本実施例にあっては、建物１０の床振動を低減するため、制振体４０を用いている。制振体４０は、図３に示す如く、ロ字型鋼（２個のコ字型鋼板の溶接体）からなる金属製基材４１の内部全体に粘弾性材４２を充填接合したものである。粘弾性材４２は、適度な弾性率と高い損失係数を持つものであり、紫外線照射されたアクリル樹脂、ウレタン発泡体等を採用できる。
【００２６】
尚、制振体４０は、▲１▼ロ字型鋼からなる金属製基材４１の内部の一部にのみ粘弾性材４２を装填したもの（図４（Ａ））、▲２▼Ｕ字型鋼からなる金属製基材４１の内部に粘弾性材４２を装填したもの（図４（Ｂ））、▲３▼上下の鋼板からなる２枚の金属製基材４１、４１間に粘弾性材４２を挟んだもの（図４（Ｃ））等に代えることもできる。
【００２７】
そして、本実施例では、図３に示す如く、隣接する上階建物ユニット１３の床構造体１７間で、一方の床構造体１７の床大梁２０と他方の床構造体１７の床大梁２０の間隙に上記制振体４０を挿入し、制振体４０の金属製基材４１をボルト・ナット４３によりそれらの両床大梁２０、２０に取付固定した。制振体４０は、床大梁２０の長手方向の複数位置（例えば３位置）に設置される。
【００２８】
以下、本実施例の作用効果について説明する。
▲１▼上階床大梁２０に制振体４０が固定されているから、子供が上階床上で飛び跳ねる等の床衝撃に起因する床振動が上階床大梁２０に伝搬されたとき、上階床大梁２０と一体化されている制振体４０の粘弾性材４２が粘弾性変形し、その変形に費やされるエネルギ損失により上階床大梁２０の振動を制振せしめる。
【００２９】
▲２▼相隣る上階建物ユニット１３の床構造体１７が制振体４０の金属製基材４１により剛接合され、上階床構造体１７の全体の剛性が上がり、床衝撃に対する床変形量が小さくなり、上階床振動を低減せしめる。
【００３０】
▲３▼上記▲１▼、▲２▼により、床全体の振動を低減し、重量床衝撃音を低減することができ、結果として居住性を向上できる。
【００３１】
（第２実施例）（図７）
第２実施例が第１実施例と異なる点は、図７に示す如く、前記制振体４０を、隣接する下階建物ユニット１２の天井構造体１９間で、一方の天井構造体１９の天井大梁２５と他方の天井構造体１９の天井大梁２５の間隙に挿入したことにある。制振体４０の金属製基材４１はボルト・ナット４３によりそれらの両天井大梁２５、２５に取付固定される。制振体４０は、天井大梁２５の長手方向の複数位置（例えば３位置）に設置される。
【００３２】
従って、本実施例によれば下記▲１▼〜▲３▼の作用効果がある。
▲１▼下階天井大梁２５に制振体４０が固定されているから、子供が上階床上で飛び跳ねる等の床衝撃に起因する床振動が上階床大梁２０を介して下階天井大梁２５に伝搬されたとき、下階天井大梁２５と一体化されている制振体４０の粘弾性材４２が粘弾性変形し、その変形に費やされるエネルギ損失により下階天井大梁２５の振動を制振せしめる。そして、この下階天井大梁２５には上階床大梁２０が接合一体化されているため、結果として上階床大梁２０の振動を制振せしめることができるものとなる。
【００３３】
▲２▼相隣る下階建物ユニット１２の天井構造体１９が制振体４０の金属製基材４１により剛接合され、下階天井構造体１９の全体の剛性が上がり、床衝撃に対する天井変形量が小さくなり、上階床振動起因の下階天井振動を低減せしめる。そして、この下階天井構造体１９には上階床構造体１７が接合一体化されているため、結果として上階床振動を低減せしめることができるものとなる。
【００３４】
▲３▼上記▲１▼、▲２▼により、床全体の振動を低減し、重量床衝撃音を低減することができ、結果として居住性を向上できる。
【００３５】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の制振体は、相隣る床大梁の間隙に挿入固定されると同時に、相隣る天井大梁の間隙に挿入固定されるものであってもよい。
【００３６】
【発明の効果】
以上のように本発明によれば、ユニット建物において、重量床衝撃音を低減することができる。
【図面の簡単な説明】
【図１】図１は第１実施例を示す模式図である。
【図２】図２は相隣る床構造体を示す模式図である。
【図３】図３は制振体の設置構造を示す模式図である。
【図４】図４は制振体の変形例を示す模式図である。
【図５】図５はユニット建物を示す模式図である。
【図６】図６は建物ユニットを示す模式図である。
【図７】図７は第２実施例を示す模式図である。
【符号の説明】
１０  ユニット建物
１２  下階建物ユニット
１３  上階建物ユニット
１５  柱
１７  床構造体
１９  天井構造体
２０  床大梁
２５  天井大梁
４０  制振体
４１  金属製基材
４２  粘弾性材
【図１】
0003542854.tif 000002
【図２】
0003542854.tif 000003
【図３】
0003542854.tif 000004
【図４】
0003542854.tif 000005
【図５】
0003542854.tif 000006
【図６】
0003542854.tif 000007
【図７】
0003542854.tif 000008